(57)【要約】【課題】消費電力を低減することのできる自動販売機を提供する。【解決手段】上壁１１の下面から離隔する態様で外箱１０の内部に商品収納ラック４０を支持するラックフレームユニット３０を配設した自動販売機であって、ラックフレームユニット３０は、一対のガイドフレーム材３１と取付フレーム材３２とを備え、ガイドフレーム材３１に形成したスリット３１ｆ，３１ｇに取付フレーム材３２の端部を挿入した後、ガイドフレーム材３１の上面に取付フレーム材３２の取付水平部３２ａを重ね合わせた状態で両者を接合することにより、取付フレーム材３２をガイドフレーム材３１の相互間に架設する態様で配設したものであり、ガイドフレーム材３１におけるスリット３１ｆ，３１ｇの終端部にスリット３１ｆ，３１ｇの幅を拡大する態様で円弧状の切欠部３１ｈを形成している。【選択図】        図５
2005234961.tif 000002
【特許請求の範囲】
【請求項１】
外箱の上壁下面から離隔する態様で外箱の内部にラックフレームユニットを配設し、このラックフレームユニットに商品を収納するための商品収納ラックを支持させるようにした自動販売機であって、
ラックフレームユニットは、一対のガイドフレーム材と商品収納ラックを取り付けるための取付フレーム材とを備え、ガイドフレーム材に形成したスリットに取付フレーム材の端部を挿入した後、ガイドフレーム材の上面に取付フレーム材の重合部を重ね合わせた状態で両者を接合することにより、取付フレーム材をガイドフレーム材の相互間に架設する態様で配設したものであり、
前記ガイドフレーム材におけるスリットの終端部にスリットの幅を拡大する態様で円弧状の切欠部を形成したことを特徴とする自動販売機。
【請求項２】
前記切欠部は、ガイドフレーム材において少なくとも取付フレーム材の重合部を重ね合わせる側にスリットの幅を拡大するものであることを特徴とする請求項１に記載の自動販売機。
【請求項３】
前記取付フレーム材は、ガイドフレーム材のスリットから一方側に向けて屈曲することによりガイドフレーム材の上面に重ね合わされる第１重合部と、ガイドフレーム材のスリットから他方側に向けて屈曲することによりガイドフレーム材の上面に重ね合わされる第２重合部とを備えることを特徴とする請求項１に記載の自動販売機。
【請求項４】
前記取付フレーム材は、個別に成形した第１サブフレーム部材と第２サブフレーム部材とを有し、前記第１サブフレーム部材は商品収納ラックを支持する第１支持部と前記第１重合部とを一体に成形したものであり、前記第２サブフレーム部材は第１支持部に固着した第２支持部と前記第２重合部とを一体に成形したものであることを特徴とする請求項３に記載の自動販売機。
【請求項５】
前記第１サブフレーム部材は、一対のガイドフレーム材の間を連結する長さを有する一方、前記第２サブフレーム部材は、ガイドフレーム材と重合するだけの長さを有し、かつ前記第１サブフレーム部材の両端部に固着したものであることを特徴とする請求項４に記載の自動販売機。
【発明の詳細な説明】
【技術分野】
【０００１】
本発明は、自動販売機に関するものである。
【背景技術】
【０００２】
缶入り飲料やペットボトル入り飲料等の商品を販売する自動販売機においては、外箱の内部に断熱構造の商品収容庫が設けられているとともに、この商品収容庫の内部に商品を収納するための商品収納ラックが設けられており、商品収容庫の内部雰囲気を加熱、もしくは冷却することによって商品収納ラックに収納させた商品を所望の温度状態に維持するようにしている。例えばホット飲料を販売する場合には、商品収容庫の内部を加熱ヒータにより５５℃程度に加熱する一方、コールド商品を販売する場合には、商品収容庫の内部を冷却ユニットにより５℃程度に冷却しており、利用者の選択した商品をそれぞれ最適販売温度で提供するようにしている。
【０００３】
商品収容庫は、外箱の内部に内箱を配設するとともに、これら外箱と内箱との間に断熱材を介在させることによって構成されている。内箱は、金属板によって箱状に構成されたもので、十分な強度が確保されている。商品収納ラックは、サーペンタイン式と称される蛇行状のものが一般的であり、その上端部がブラケット等の取付部材を介して内箱の上壁下面に保持されている（例えば、特許文献１参照）。
【０００４】
【特許文献１】特開２００１−２４３５３１号公報
【発明の開示】
【発明が解決しようとする課題】
【０００５】
ところで、上記のような自動販売機にあっては、内箱が商品収納ラックを保持するための構造部材として機能するものの、この内箱を構成する金属板が熱の移動経路としても機能することになるため、例えば商品収容庫の内部において加熱している室と冷却している室との間で熱の授受を完全に絶つことが困難である。このため、加熱ヒータや冷凍機を常に運転しておかなければならず、消費電力の点で必ずしも好ましいものとはいえない。
【０００６】
本発明は、上記実情に鑑みて、消費電力を低減することのできる自動販売機を提供することを目的とする。
【課題を解決するための手段】
【０００７】
上記の目的を達成するために、本発明の請求項１に係る自動販売機は、外箱の上壁下面から離隔する態様で外箱の内部にラックフレームユニットを配設し、このラックフレームユニットに商品を収納するための商品収納ラックを支持させるようにした自動販売機であって、ラックフレームユニットは、一対のガイドフレーム材と商品収納ラックを取り付けるための取付フレーム材とを備え、ガイドフレーム材に形成したスリットに取付フレーム材の端部を挿入した後、ガイドフレーム材の上面に取付フレーム材の重合部を重ね合わせた状態で両者を接合することにより、取付フレーム材をガイドフレーム材の相互間に架設する態様で配設したものであり、前記ガイドフレーム材におけるスリットの終端部にスリットの幅を拡大する態様で円弧状の切欠部を形成したことを特徴とする。
【０００８】
また、本発明の請求項２に係る自動販売機は、上述した請求項１において、前記切欠部は、ガイドフレーム材において少なくとも取付フレーム材の重合部を重ね合わせる側にスリットの幅を拡大するものであることを特徴とする。
【０００９】
また、本発明の請求項３に係る自動販売機は、上述した請求項１において、前記取付フレーム材は、ガイドフレーム材のスリットから一方側に向けて屈曲することによりガイドフレーム材の上面に重ね合わされる第１重合部と、ガイドフレーム材のスリットから他方側に向けて屈曲することによりガイドフレーム材の上面に重ね合わされる第２重合部とを備えることを特徴とする。
【００１０】
また、本発明の請求項４に係る自動販売機は、上述した請求項３において、前記取付フレーム材は、個別に成形した第１サブフレーム部材と第２サブフレーム部材とを有し、前記第１サブフレーム部材は商品収納ラックを支持する第１支持部と前記第１重合部とを一体に成形したものであり、前記第２サブフレーム部材は第１支持部に固着した第２支持部と前記第２重合部とを一体に成形したものであることを特徴とする。
【００１１】
また、本発明の請求項５に係る自動販売機は、上述した請求項４において、前記第１サブフレーム部材は、一対のガイドフレーム材の間を連結する長さを有する一方、前記第２サブフレーム部材は、ガイドフレーム材と重合するだけの長さを有し、かつ前記第１サブフレーム部材の両端部に固着したものであることを特徴とする。
【発明の効果】
【００１２】
本発明によれば、内箱を要することなく断熱構造の商品収容庫を構成することができるとともに、商品収納ラックを保持することができるため、熱の移動を可及的に抑制し、消費電力の低減を図ることが可能となる。しかも、ガイドフレーム材におけるスリットの終端部にスリットの幅を拡大する態様で円弧状の切欠部を形成し、このスリットに取付フレーム材の端部を挿入した後、ガイドフレーム材の上面に取付フレーム材の重合部を重ね合わせた状態で両者を接合することによって商品収納ラックを支持するためのラックフレームユニットを構成しているため、強度上の点で問題が招来する虞れもない。
【発明を実施するための最良の形態】
【００１３】
以下に添付図面を参照して、本発明に係る自動販売機の好適な実施の形態について詳細に説明する。
【００１４】
図１は、本発明の実施の形態である自動販売機を概念的に示したものである。ここで例示する自動販売機は、缶入り飲料やペットボトル入り飲料等の商品を冷却、もしくは加熱した状態で販売するもので、外箱１０を備えている。
【００１５】
外箱１０は、図２に示すように、複数の金属製の平板を適宜組み合わせることによって構成したもので、前面が開口した箱状に構成してある。より具体的には、上壁１１、一対の側壁１２、底壁１３、背壁１４を接合することによって箱状の外箱１０を構成するようにしている。一対の側壁１２は、それぞれ底壁１３よりも下方に延在しており、互いの間に台座壁１５を備えている。
【００１６】
外箱１０には、その内部に断熱構造の商品収容庫２０が設けてある。本実施の形態では、図２に示すように、上壁１１、一対の側壁１２、底壁１３、背壁１４の内壁面にそれぞれ予め板状に成形した断熱ボード２１を配設することにより、これら断熱ボード２１によって囲まれる空間に商品収容庫２０を構成するようにしている。断熱ボード２１は、図には明示していないが、発泡ウレタン等の断熱材によって成形した板状部材の表裏両面にそれぞれ面材として樹脂フィルムやクラフト紙を貼着したものである。
【００１７】
この商品収容庫２０の内部には、図３〜図５に示すように、上端部に前方構造フレーム材２２及び後方構造フレーム材２３を介して複数のラックフレームユニット３０が左右方向に沿って並設してある。
【００１８】
ラックフレームユニット３０は、後述する商品収納ラック４０を保持するためのもので、それぞれが一対のガイドフレーム材３１の間に複数の取付フレーム材３２を架設することによって予め梯子状に構成してある。
【００１９】
ガイドフレーム材３１は、図５に示すように、長尺平板状のガイド水平部３１ａと、ガイド水平部３１ａの一端縁部から直角に屈曲した長尺平板状のガイド垂下部３１ｂとを一体に構成したもので、横断面がＬ字状を成している。ガイドフレーム材３１におけるガイド水平部３１ａの前端部には、それぞれネジ挿入孔３１ｃが２個ずつ前後に設けてある。ネジ挿入孔３１ｃは、固定ネジ２４のネジ軸部を貫通することのできる大きさを有した開口である。各ラックフレームユニット３０のガイドフレーム材３１は、互いにガイド水平部３１ａの先端縁を対向させる態様で相互に平行に配設してある。
【００２０】
それぞれのガイドフレーム材３１の後端部には、載置部３１ｄ及び係合部３１ｅが設けてある。載置部３１ｄは、図６に示すように、ガイド垂下部３１ｂの下縁よりも上方となる位置に設けた下方に向く下面である。係合部３１ｅは、載置部３１ｄよりも後方側に位置する部位から下方に向けて突設した舌片状部分である。これら載置部３１ｄ及び係合部３１ｅは、いずれもガイドフレーム材３１のガイド垂下部３１ｂと同一の板厚に構成してある。
【００２１】
取付フレーム材３２は、長尺平板状の取付水平部３２ａ（第１重合部）と、取付水平部３２ａの一端縁部から直角に屈曲した長尺平板状の取付垂下部３２ｂと、取付垂下部３２ｂの延在縁部から取付水平部３２ａに対して平行に延在した後に取付水平部３２ａに向けて直角に屈曲した取付係止部３２ｃとを一体に構成したものである。
【００２２】
取付フレーム材３２の一部には、両端部に補強片部材３３（第２サブフレーム部材）を設けたものを用意してある（以下、補強片部材３３を取り付けた取付フレーム材３２を「補強取付フレーム材３２Ｈ」という）。補強片部材３３は、補強水平部３３ａ（第２重合部）と、補強水平部３３ａの一端縁部から直角に屈曲した補強垂下部３３ｂとを一体に構成し、横断面がＬ字状を成すもので、ガイドフレーム材３１におけるガイド水平部３１ａの上面よりも僅かに狭い幅を有している。それぞれの補強片部材３３は、補強水平部３３ａが取付フレーム材３２（第１サブフレーム部材）の取付水平部３２ａに対して同一平面上に位置し、かつ互いに反対方向に延在する態様で補強垂下部３３ｂを介して取付フレーム材３２の取付垂下部３２ｂに溶着してある。
【００２３】
取付フレーム材３２は、取付垂下部３２ｂの両端部をガイドフレーム材３１のガイド水平部３１ａに設けた第１スリット３１ｆに挿入し、取付水平部３２ａの両端部をガイドフレーム材３１におけるガイド水平部３１ａの上面に重ね合わせた状態で両者を接合することによってガイドフレーム材３１の間に架設する態様で取り付けてあり、また補強取付フレーム材３２Ｈは、取付垂下部３２ｂの両端部及び補強片部材３３の補強垂下部３３ｂをそれぞれガイドフレーム材３１のガイド水平部３１ａに設けた第２スリット３１ｇに挿入し、取付水平部３２ａ及び補強水平部３３ａをガイドフレーム材３１におけるガイド水平部３１ａの上面に重ね合わせた状態でそれぞれの間を接合することによってガイドフレーム材３１の間に架設する態様で取り付けてある。
【００２４】
取付フレーム材３２の端部を挿入する第１スリット３１ｆは、取付フレーム材３２の取付垂下部３２ｂを挿通することのできる幅を有したものであり、また補強取付フレーム材３２Ｈの端部を挿入する第２スリット３１ｇは、取付フレーム材３２の取付垂下部３２ｂと補強片部材３３の補強垂下部３３ｂとを挿入することのできる幅を有したものであり、それぞれの終端部に切欠部３１ｈを有している。切欠部３１ｈは、スリット３１ｆ，３１ｇの幅を拡大する態様で円弧状に形成したものである。スリット３１ｆ，３１ｇの幅を拡大する方向は、取付フレーム材３２の取付水平部３２ａを重ね合わせる側、並びに補強片部材３３の補強水平部３３ａを重ね合わせる側である。すなわち、第１スリット３１ｆにおいては、取付フレーム材３２の取付水平部３２ａを重ね合わせる側にのみ切欠部３１ｈを形成する一方、第２スリット３１ｇにおいては、取付フレーム材３２の取付水平部３２ａを重ね合わせる側及び補強片部材３３の補強水平部３３ａを重ね合わせる側の両方に切欠部３１ｈを形成してある。
【００２５】
尚、本実施の形態では、互いに左右幅の異なる３種類のラックフレームユニット３０を備えるものを例示している。これら３種類のラックフレームユニット３０は、取付フレーム材３２の長さのみが異なるもので、個々の詳細構成は互いに同一である。
【００２６】
ラックフレームユニット３０を保持する前方構造フレーム材２２及び後方構造フレーム材２３は、金属によって成形した長尺部材であり、それぞれ複屈曲した横断面形状を成している。具体的には、長尺平板状を成す基部２２ａ，２３ａと、基部２２ａ，２３ａの両側縁部からそれぞれ同一方向に向けて直角に屈曲した長尺平板状を成す一対の側部２２ｂ，２３ｂと、各側部２２ｂ，２３ｂの延在縁部から互いに離隔する方向に向けて直角に屈曲した長尺平板状を成す一対のフランジ部２２ｃ，２３ｃとを有し、横断面がいわゆるハット形状と称される前方構造フレーム材２２及び後方構造フレーム材２３を構成してある。
【００２７】
前方構造フレーム材２２は、フランジ部２２ｃを介して上壁１１の前縁部下面に接合してあり、左右方向に沿って延在する態様で上壁１１の下面から下方に向けて突出している。後方構造フレーム材２３は、フランジ部２３ｃを介して背壁１４の上縁部前面に接合してあり、左右方向に沿って延在する態様で背壁１４の前面から前方に向けて突出している。前方構造フレーム材２２の後方側に位置する側部２２ｂと後方構造フレーム材２３の基部２３ａとの間には、上述したラックフレームユニット３０のガイドフレーム材３１よりも短い長さが確保してある。尚、前方構造フレーム材２２及び後方構造フレーム材２３を外箱１０に接合する方法としては、例えば溶接やネジ止めを適用すれば良い。これらの接合方法は、いずれか一方を適用しても良いし、両者を併用するようにしても良い。
【００２８】
また、前方構造フレーム材２２には、ラックフレームユニット３０の取付位置に対応する部位にそれぞれネジ締結部２２ｄが構成してある一方、後方構造フレーム材２３には、ラックフレームユニット３０の取付位置に対応する部位にそれぞれ係止溝２３ｄが設けてある。
【００２９】
ネジ締結部２２ｄは、図７に示すように、前方構造フレーム材２２の基部２２ａに設けたネジ挿通孔２２ｅと、締結部材２５に設けたネジ締結孔２５ａとによって構成したものである。前方構造フレーム材２２のネジ挿通孔２２ｅは、ガイドフレーム材３１のネジ挿入孔３１ｃと同様に、固定ネジ２４のネジ軸部を貫通することのできる大きさを有した開口であり、３つのラックフレームユニット３０を並設した場合に、それぞれのガイドフレーム材３１に対応する位置に２ヶ所ずつ、合計１２個形成してある。締結部材２５は、図４に示すように、これら前方構造フレーム材２２に形成した１２個のネジ挿通孔２２ｅを全て覆うことのできる大きさに構成した金属製の長尺平板部材であり、個々のネジ挿通孔２２ｅに対向する部位にネジ締結孔２５ａを有している。ネジ締結孔２５ａは、図には明示していないが、固定ネジ２４のネジ軸部に螺合すべく内周面にネジ溝を刻設した開口である。この締結部材２５は、例えばその両端部及び中間部の数カ所を溶接することによって前方構造フレーム材２２に取り付けてある。
【００３０】
後方構造フレーム材２３に設けた係止溝２３ｄは、図８に示すように、基部２３ａと上方側に位置する側部２３ｂとの会合部分に形成した溝状部であり、ガイドフレーム材３１のガイド垂下部３１ｂを挿入することのできる大きさに形成してある。尚、図３中の符号２３ｅは、後方構造フレーム材２３のフランジ部２３ｃに設けたナット部材である。このナット部材２３ｅは、自動販売機を設置する際に、転倒防止用ボルトＢを螺合するためのもので、後方構造フレーム材２３の両端部に溶着してある。
【００３１】
上述した前方構造フレーム材２２及び後方構造フレーム材２３との間にラックフレームユニット３０を保持させる場合には、図６の上段に示すように、まず、ガイドフレーム材３１の後端部に設けた係合部３１ｅを後方構造フレーム材２３の係止溝２３ｄに挿入し、その後、図６の下段に示すように、係合部３１ｅを後方構造フレーム材２３の内部に位置させるとともに、載置部３１ｄを介してガイドフレーム材３１の後端部を後方構造フレーム材２３に載置させる。この状態においては、ガイドフレーム材３１の後端部を後方構造フレーム材２３の係止溝２３ｄから脱落する方向へ移動させようとした場合、ガイドフレーム材３１の係合部３１ｅが後方構造フレーム材２３の基部２３ａに当接係合することによってその移動が阻止されることになる。
【００３２】
最後に、ガイドフレーム材３１のネジ挿入孔３１ｃを通じて前方構造フレーム材２２のネジ締結部２２ｄに固定ネジ２４を螺合させれば、つまり前方構造フレーム材２２のネジ挿通孔２２ｅを通じて締結部材２５のネジ締結孔２５ａに固定ネジ２４を螺合させれば、前方構造フレーム材２２及びガイドフレーム材３１の互いに重なり合う部分が相互に固定され、ラックフレームユニット３０を外箱１０における上壁１１の下面から離隔する態様で商品収容庫２０の内部に取り付けることが可能となる。
【００３３】
このようにして商品収容庫２０の内部に配設されたラックフレームユニット３０には、図９に示すように、隣接するラックフレームユニット３０の相互間に断熱仕切板５０が配設してある。つまり、隣接するラックフレームユニット３０の間には、ガイドフレーム材３１のガイド垂下部３１ｂが対向して配置されることになり、これらガイド垂下部３１ｂの相互間に断熱仕切板５０の上端部が挟装保持されることになる。断熱仕切板５０は、商品収容庫２０の内部に複数の室を画成するためのもので、断熱ボード２１の適宜箇所に金属製の補強金具を取り付けることによって構成してある。図には明示していないが、本実施の形態では、断熱ボード２１の下方部、上縁部にそれぞれ上縁補強金具を取り付けた２枚の断熱仕切板５０を配設することによって商品収容庫２０の内部に３つの独立した室を画成するようにしている。
【００３４】
断熱仕切板５０によって画成されたそれぞれの室には、商品収納ラック４０が配設してある。商品収納ラック４０は、図３に示すように、一対の側板４１の間にセグメントと称される湾曲形状の案内部材４２を配設することによって上下方向に延在する蛇行状の商品収納域４３を構成したもので、商品収納域４３に商品を下方から順に収納する一方、商品販売指令が与えられた場合に対応する商品収納域４３に収納された商品を最下位に位置するものから順に払い出すように機能する。本実施の形態ではそれぞれの室に、複数の商品収納域４３を有した商品収納ラック４０を前後に配設するようにしている。
【００３５】
それぞれの商品収納ラック４０は、側板４１の上端部に設けた取付金具４４をラックフレームユニット３０の取付フレーム材３２に係止させ、さらにこれら取付金具４４及びラックフレームユニット３０の取付フレーム材３２をネジ４５によって互いに螺着することにより、ラックフレームユニット３０に吊下保持させてある。
【００３６】
ここで、上記自動販売機によれば、ラックフレームユニット３０を保持するための取付部材として、前方構造フレーム材２２を外箱１０の上壁１１に設ける一方、後方構造フレーム材２３を背壁１４に設けるようにしているため、商品収納ラック４０の荷重が上壁１１と背壁１４とに分散されることになる。しかも、前方構造フレーム材２２及び後方構造フレーム材２３として、それぞれ複屈曲したハット形状の横断面を有したものを適用しているため、これら前方構造フレーム材２２及び後方構造フレーム材２３を通じて外箱１０に加わる荷重も分散されることになる。これらの結果、商品収納ラック４０に多数の商品を収納させた場合にも、外箱１０に変形等の不具合を招来する虞れがない。
【００３７】
尚、図１中の符号４６は、商品収納ラック４０から払い出された商品を案内するべく室の後方から前方に向けて低く傾斜するように配設した商品シュータである。また、図には明示していないが、各室の内部において商品シュータ４６より下方となる領域には、商品収納ラック４０に収納した商品を所望の温度に維持するための冷却ユニットや加熱ヒータが設けてある。
【００３８】
一方、上記自動販売機には、図１に示すように、外扉６０及び内扉７０が設けてある。外扉６０は、外箱１０の前面開口を覆うためのもので、外扉６０の一側縁部に開閉可能に配設してある。図には明示していないが、この外扉６０の前面には、商品を販売する際に必要となるディスプレイウィンドウ、商品選択押ボタン、紙幣挿通口、硬貨投入口、返却レバー、金額表示器、硬貨返却口、商品取出口６１が設けてある。内扉７０は、外扉６０の上部内面に設けた断熱体６２とともに商品収容庫２０の前面を覆うためのもので、外扉６０よりも内方となる位置において外箱１０の一側縁部に開閉可能に配設してある。この内扉７０は、商品収容庫２０の各室に対応した下端部に商品搬出口扉７１によって開閉される商品搬出口７２を有しており、商品収納ラック４０から商品が商品シュータ４６に払い出された場合に商品搬出口７２を通じて商品を外部に搬出することが可能である。
【００３９】
本実施の形態では、図１１に示すように、扉本体７３に側縁補強部材７４、下部前面板金体７５、上部前面板金体７６、下部背面板金体７７及び複数（本実施の形態では３つ）の商品搬出口枠７８を設けることによって内扉７０を構成してある。扉本体７３は、発泡ウレタン等の断熱材によって予め板状に成形したもので、内扉７０の外形寸法とほぼ同一の大きさを有している。図には明示していないが、この扉本体７３の表裏両面にそれぞれ面材として樹脂フィルムやクラフト紙が貼着してあるのは、上述した断熱ボード２１と同様である。側縁補強部材７４は、扉本体７３の両側縁部を覆う態様で配設した金属製の長尺部材である。下部前面板金体７５、上部前面板金体７６及び下部背面板金体７７は、それぞれ金属製の板状部材によって成形したものである。下部前面板金体７５は、商品搬出口７２の周囲を覆う一方、扉本体７３の上方部前面を露出させる態様で扉本体７３の下方部前面に配設してある。上部前面板金体７６は、下部前面板金体７５から離隔する態様で扉本体７３の上方部前面に配設してある。この上部前面板金体７６には、銘板等の付属品を保持するための保持手段７６ａが複数設けてある。下部背面板金体７７は、商品搬出口７２の周囲を覆うとともに、扉本体７３の上方部背面を露出させる態様で扉本体７３の下方部背面に配設してある。商品搬出口枠７８は、内扉７０の商品搬出口７２を規定するためのもので、それぞれ樹脂材によって矩形の枠状に構成してある。尚、図１１中の符号７９は、内扉７０の上縁に取り付けたシール部材である。このシール部材７９は、外扉６０に設けた断熱体６２との間をシールするためのものである。また、符号８０は、内扉７０の前面側において商品搬出口７２の下方側縁部となる位置に設けた防盗部品８０である。この防盗部品８０は、内扉７０の前面から前方に突出することによって外扉６０との間の間隙を狭め、例えば悪意のあるものが商品取出口６１から内扉７０の前面に沿って手を差し入れようとした場合にもその動作を邪魔するためのものである。
【００４０】
上記のように構成した自動販売機では、内扉７０を閉成した場合、商品収容庫２０に構成した室がそれぞれ外部雰囲気に対して熱的に遮断されることになり、加熱ヒータを駆動すれば、内部雰囲気を通じて商品収納ラック４０の商品を５５℃程度に加熱することができる一方、冷却ユニットを駆動すれば、内部雰囲気を通じて商品収納ラック４０の商品を５℃程度に冷却することができるようになる。
【００４１】
ここで、上記自動販売機によれば、外箱１０の内壁面に前方構造フレーム材２２及び後方構造フレーム材２３を突設し、これら前方構造フレーム材２２及び後方構造フレーム材２３を介して外箱１０の上壁１１から離隔する態様でラックフレームユニット３０を配設しているため、内箱を要することなく断熱構造の商品収容庫２０を構成することができるとともに、商品収納ラック４０を保持することができる。さらに、断熱材によって構成した扉本体７３の背面には、その下方部背面にのみ下部背面板金体７７を設けるようにしているため、内扉７０を閉成した場合にも熱の移動経路となる金属部分を可及的に小さくすることができる。また、商品収納ラック４０を保持するラックフレームユニット３０は、断熱仕切板５０によって仕切られた室ごとに分割構成されたものであるため、これらが熱の移動経路となることもない。従って、例えば商品収容庫２０の内部において商品を加熱している室と、商品を冷却している室との間での熱の授受を可及的に抑制することができ、消費電力を著しく低減することが可能となる。
【００４２】
しかも、上記自動販売機によれば、商品収納ラック４０を支持するラックフレームユニット３０のガイドフレーム材３１において取付フレーム材３２及び補強取付フレーム材３２Ｈを挿入する第１スリット３１ｆの終端部及び第２スリット３１ｇの終端部にそれぞれ幅を拡大する態様で円弧状の切欠部３１ｈを設けるようにしているため、取付フレーム材３２及び補強取付フレーム材３２Ｈを介してガイドフレーム材３１に商品収納ラック４０の荷重が加えられた場合にも第１スリット３１ｆの終端部や第２スリット３１ｇの終端部に応力が集中する事態を防止することができ、亀裂が発生する等の強度上の問題を招来する虞れがない。さらに、ラックフレームユニット３０の補強取付フレーム材３２Ｈにあっては、取付フレーム材３２の取付水平部３２ａのみならず補強片部材３３の補強水平部３３ａを介してガイドフレーム材３１におけるガイド水平部３１ａの上面に重ね合わされているため、商品収納ラック４０の荷重が分散してガイドフレーム材３１に加えられることとなり、強度上一層有利となる。
【００４３】
尚、上述した実施の形態では、補強取付フレーム材３２Ｈにおいて第１サブフレーム材となる取付フレーム材３２の両端部にのみ第２サブフレーム材となる補強片部材３３を設けるようにしているが、第２サブフレーム材が第１サブフレーム材と同等の長さを有したものであっても構わない。
【図面の簡単な説明】
【００４４】
【図１】本発明の実施の形態である自動販売機を示した斜視図である。
【図２】図１に示した自動販売機の内部構成を示す概念図である。
【図３】図１に示した自動販売機の要部断面側面図である。
【図４】図１に示した自動販売機において商品収納ラックを支持するための構成を上方から見た斜視図である。
【図５】図１に示した自動販売機に適用するラックフレームユニットを示す斜視図である。
【図６】図５に示したラックフレームユニットを取付態様を概念的に示す側面図である。
【図７】図５に示したラックフレームユニットの前端取付部分を概念的に示す斜視図である。
【図８】図５に示したラックフレームユニットの後端取付部分を概念的に示す斜視図である。
【図９】図１に示した自動販売機において商品収納ラックを支持するための構成を下方から見た斜視図である。
【図１０】図１に示した自動販売機に適用する内扉を前面側から見た斜視図である。
【図１１】図１に示した自動半ビア器に適用する内扉を背面側から見た斜視図である。
【符号の説明】
【００４５】
１０      外箱
１１      上壁
１２      側壁
１３      底壁
１４      背壁
１５      台座壁
２０      商品収容庫
２１      断熱ボード
２２      前方構造フレーム材
２２ａ      基部
２２ｂ      側部
２２ｃ      フランジ部
２２ｄ      ネジ締結部
２２ｅ      ネジ挿通孔
２３      後方構造フレーム材
２３ａ      基部
２３ｂ      側部
２３ｃ      フランジ部
２３ｄ      係止溝
２３ｅ      ナット部材
２４      固定ネジ
２５      締結部材
２５ａ      ネジ締結孔
３０      ラックフレームユニット
３１      ガイドフレーム材
３１ａ      ガイド水平部
３１ｂ      ガイド垂下部
３１ｃ      ネジ挿入孔
３１ｄ      載置部
３１ｅ      係合部
３１ｆ      第１スリット
３１ｇ      第２スリット
３１ｈ      切欠部
３２      取付フレーム材
３２Ｈ      補強取付フレーム材
３２ａ      取付水平部
３２ｂ      取付垂下部
３２ｃ      取付係止部
３３      補強片部材
３３ａ      補強水平部
３３ｂ      補強垂下部
４０      商品収納ラック
４１      側板
４２      案内部材
４３      商品収納域
４４      取付金具
４５      ネジ
４６      商品シュータ
５０      断熱仕切板
６０      外扉
６１      商品取出口
６２      断熱体
７０      内扉
７１      商品搬出口扉
７２      商品搬出口
７３      扉本体
７４      側縁補強部材
７５      下部前面板金体
７６      上部前面板金体
７６ａ      保持手段
７７      下部背面板金体
７８      商品搬出口枠
７９      シール部材
８０      防盗部品
【図１】
2005234961.tif 000003
【図２】
2005234961.tif 000004
【図３】
2005234961.tif 000005
【図４】
2005234961.tif 000006
【図５】
2005234961.tif 000007
【図６】
2005234961.tif 000008
【図７】
2005234961.tif 000009
【図８】
2005234961.tif 000010
【図９】
2005234961.tif 000011
【図１０】
2005234961.tif 000012
【図１１】
2005234961.tif 000013